(57)【要約】【課題】機器の動作状態に関する表示領域の拡大及び部品点数増加、電源回路の大型化やコストアップを抑制しつつ、機器の動作状態を分かり易く表示することのできる使い勝手の良い加熱調理器を提供する【解決手段】表示手段４は１桁の７セグメント数字表示４ｂ、４ｃにドット表示４ａを加えて、点灯を組み合わせることで、合計で最大２０種類の動作状態を表現すると共に、表示領域の増大を抑制することができる。更に、発光面積小のドット表示４ａの輝度を高めることで、ドット表示４ａの点灯を強調できるので、表示面積が小さくてもその表示の存在を判別し易くすることが可能となる。【選択図】図１
2014082035.tif 000002
【特許請求の範囲】
【請求項１】
被加熱体を載置する少なくとも一部を光透過性とした絶縁板と、前記絶縁板の下方に設けられ、前記被加熱体を加熱する加熱部と、前記加熱部の状態表示を前記絶縁板の光透過性部分を介して図形または文字として表示する表示手段と、前記加熱部への通電を制御する出力制御手段を備え、前記表示手段は、略同一面上の複数の所定の図形或いは文字を発光素子が発する光にて形成すると共に、前記複数の所定の図形或いは文字において、発光面積が所定の面積よりも小さい発光素子の輝度を他の発光素子よりも高くして表示する構成の加熱調理器。
【請求項２】
前記発光面積が所定の面積よりも小さい発光素子は、前記他の発光素子よりも流す電流量を多くして輝度を高くする構成の請求項１に記載の加熱調理器。
【請求項３】
前記発光面積が所定の面積よりも小さい発光素子は、前記他の発光素子よりも高効率の発光素子を用いて構成することで輝度を高くする構成の請求項１に記載の加熱調理器。
【請求項４】
前記表示手段は、発光面積が所定の面積よりも大である１桁の７セグメント数字表示と発光面積が所定の面積よりも小である小数点を示すドット表示とを少なくとも１組有し、前記加熱部の加熱出力設定を１桁数字とドットで表示する構成の請求項１〜３のいずれか１項に記載の加熱調理器。
【発明の詳細な説明】
【技術分野】
【０００１】
本発明は、一般家庭やレストラン及びオフィスなどで使用され、操作設定に応じた内容を表示する表示手段を備えた加熱調理器に関するものである。
【背景技術】
【０００２】
従来の加熱調理器について説明する。加熱部の設定されている加熱出力の大きさを、点灯するＬＥＤの場所を変更して表示する加熱調理器が開示されている。（例えば特許文献１参照）
【先行技術文献】
【特許文献】
【０００３】
【特許文献１】特開２００２−８９８５３号公報
【発明の概要】
【発明が解決しようとする課題】
【０００４】
しかしながら、前記従来の構成では、加熱部の加熱出力設定数に応じたＬＥＤの数が必要となり、表示領域を広く取る必要があり、限られた領域内で、表示の他に、機器の操作に必要な領域を確保することが困難になったり、両立するために、機器が大型化してしまうと言う課題を有していた。
【０００５】
また、加熱出力の大きさに応じて、ＬＥＤの点灯数を増減させたり、ＬＣＤで表示ピクトの数を増減させることを行っても同様に加熱出力設定数に応じたＬＥＤ数や表示ピクト数が必要となり表示領域を広く取る必要があると共に、各機能を実現させるための表示手段（例えばＬＥＤ等の光源や導光のための樹脂部品等）や表示手段への信号を与えるリード線がそれぞれ必要になり、部品点数が増加することによる機器構成の複雑化とそれに伴うコストアップや、光源の消費電流増加による、この光源に電力を供給する電源回路の大型化やそれに伴うコストアップ等が生じるという課題がある。
【０００６】
本発明は前記従来の課題を解決するもので、機器の動作状態に関する表示領域の拡大及びそれに関連した部品点数増加、電源回路の大型化やコストアップを抑制しつつ、機器の動作状態を分かり易く表示することのできる使い勝手の良い加熱調理器を提供するものである。
【課題を解決するための手段】
【０００７】
前記従来の課題を解決するために、本発明の加熱調理器は、被加熱体を載置する一部または全部を光透過性とした絶縁板と、前記絶縁板の下方に設けられ、前記被加熱体を加熱する加熱部と、前記加熱部の通電状態等を前記絶縁板の光透過性部分を介して図形または文字として表示する表示手段と、前記加熱部への通電を制御する出力制御手段を備え、前記表示手段は、略同一面上の複数の所定の図形或いは文字を発光素子が発する光にて形成すると共に、前記複数の所定の図形或いは文字の中で、その発光面積が小さいものの輝度を高くして表示する構成としたものである。
【発明の効果】
【０００８】
上記構成によれば、表示領域面積の制約やデザイン及び表示意図の制約により、発光面積を大きくできない表示要素であって、そのために他の大きい表示要素と同一輝度では判別し難いということを回避することができ、表示領域面積が小さくても機器の動作状態を分かりやすく表示することができる、使い勝手の良い加熱調理器を提供することが可能と
なる。
【図面の簡単な説明】
【０００９】
【図１】本発明の実施の形態１における加熱調理器の構成を示すブロック図
【発明を実施するための形態】
【００１０】
第１の発明は、被加熱体を載置する少なくとも一部を光透過性とした絶縁板と、前記絶縁板の下方に設けられ、前記被加熱体を加熱する加熱部と、前記加熱部の状態表示を前記絶縁板の光透過性部分を介して図形または文字として表示する表示手段と、前記加熱部への通電を制御する出力制御手段を備え、前記表示手段は、略同一面上の複数の所定の図形或いは文字を発光素子が発する光にて形成すると共に、前記複数の所定の図形或いは文字において、発光面積が所定の面積よりも小さい発光素子の輝度を他の発光素子よりも高くして表示する構成としたことにより、絶縁板の光透過部分から加熱部の動作状態を示す表示を光で形成された図形または文字にて視認することができる。
【００１１】
また、表示している表示要素の発光面積の大小に関わらず輝度をほぼ同一に合わすことが一般的であるが、その場合発光面積が小さい表示要素は目立ち難いが、発光面積小の発光要素の輝度を他の発光面積大の表示要素よりも高くすることで、発光面積小の表示要素の判読をし易くすることができる。
【００１２】
第２の発明は、特に第１の発明において、発光面積が所定の面積よりも小さい発光素子は、前記他の発光素子よりも流す電流量を多くして輝度を高くする構成したことで、これにより、表示手段を、電流量でその輝度が変化する電気特性がほぼ同一の発光素子で形成している場合において、その素子に流す電流量で簡単に輝度を変更することができると共に、発光素子の選定や調達を簡単にすることができる。
【００１３】
第３の発明は、特に第１の発明において、発光面積が所定の面積よりも小さい発光素子は、前記他の発光素子よりも高効率の発光素子を用いて構成することで輝度を高くする構成とすることで、表示手段への供給電流を増加させることなく、発光面積小の発光要素の輝度を高めることができると共に、機器の消費電力量増加を抑えることができる。
【００１４】
第４の発明は、特に第１〜第３の発明において、表示手段は、発光面積が所定の面積よりも大である１桁の７セグメント数字表示と発光面積が所定の面積よりも小である小数点を示すドット表示とを少なくとも１組有し、前記加熱部の加熱出力設定を１桁数字とドットで表示する構成としたもので、これにより、７セグメント数字表示素子にて１桁の数字、０から９の１０種類の加熱部の動作状態を表現できると共に、各数字にドット表示を加えることで更に１０種類の動作状態を表現し、合計で最大２０種類の動作状態を表現することができ、表示領域の増大を抑制することができる。更に、発光面積小のドット表示の輝度を高めることで、ドット表示の点灯を強調できるので、例え表示面積が小さくてもその表示の存在を判別し易くすることが可能となる。
【００１５】
以下、本発明の実施の形態について、図面を参照しながら説明する。なお、この実施の形態によって本発明が限定されるものではない。
【００１６】
（実施の形態１）
以下、本発明の実施の形態の加熱調理器を、図面に基づいて説明する。図１は、本発明の実施の形態の構成を示すブロック図である。
【００１７】
図１の加熱調理器において、被加熱物を絶縁板（図示せず）に載置し、この絶縁板の下方より加熱する加熱部１を有し、加熱部１の動作設定状態を操作部３で設定し、その設定
に対応した状態表示を表示手段４にて行う。表示手段４はスイッチ等で構成したものであり、ＬＣＤまたはＬＥＤから成りセグメント表示で数字を表し、操作部３で設定された加熱部１の加熱出力を示す。
【００１８】
上記構成において、その動作を説明する。使用者が操作部３のスイッチ等を操作することにより操作部３は出力制御手段２に動作開始あるいは設定火力の信号を出力する。出力制御手段２は操作部３から受信した信号に基づいて加熱部１の加熱動作を開始したり、あるいは加熱部１が加熱動作中の場合には火力の設定を変える等の動作を行う。そして上記動作と同時に表示手段４は設定した加熱部１の状態を表示する。この時、表示手段４はＬＥＤで構成された動作表示要素を図形または文字として形成して発光しているので、絶縁板の光透過部分を介して絶縁板表面から、使用者は加熱部１がどのような設定状態で動作しているのかを容易に視認することができる。
【００１９】
例えば、加熱部１の動作を設定する場合に、図１に示す操作部３の「切／入」キー３ａ、「火力アップ」キー３ｂ、「火力ダウン」キー３ｃで、加熱部１の加熱開始と停止は「切／入」キー３ａを押す毎に設定でき、加熱部１の加熱動作中に「火力アップ」キー３ｂまたは「火力ダウン」キー３ｃを押せば、加熱部１の加熱火力をそれぞれ高くするまたは低くするように設定することができる。これと同時に表示手段４内の加熱状態を示すことも兼ねてＬＥＤ４ａ、４ｂ、４ｃに、設定されている火力を点灯・消灯の組合せによって表示する。加熱中であれば加熱状態を示すために、ＬＥＤ４ａ、４ｂ、４ｃの組合せで点灯させ、加熱停止中であれば全てを消灯させる。また、火力設定の強さはＬＥＤ４ｂ、４ｃの７セグメントの点灯・消灯を組み合わせて１〜９の数字と、ＬＥＤ４ａのドットの点灯・消灯によって、本実施の形態では、火力の弱い順に「１」、「１．」、「２」、「２．」、〜、「７．」、「８」、「８．」、「９」、「９．」と合計１８段階の強さを表現している。
【００２０】
これにより、火力段数の数だけＬＥＤを並べる必要もなく、汎用で安価なドット表示付きの７セグメント数値表示素子のみで多数の設定段階を持つ火力設定表示を行えるので、安価な構成かつ表示領域を小さくすることができると共に、きめ細かな火力設定ができるような多段の加熱火力段数を設定でき、加熱火力段数が多くなっても火力設定の強さが簡単かつ短時間にひと目で認識でき、使い勝手が向上する。
【００２１】
この時、ＬＥＤ４ｂ、４ｃの各セグメントは１ｍｍ×４．５ｍｍ程度（４．５平方ｍｍ）の大きさに対し、ＬＥＤ４ａのセグメントは約φ１ｍｍ（約０．８平方ｍｍ）の大きさのドット表示であり、発光面積が小さいために視認しにくいことがある。そしてＬＥＤ４ａは一つのドット表示のセグメントで火力設定を表現しており、ドット表示が視認しにくいと使用者は火力設定を間違って認識してしまう可能性があるため、火力設定の誤認を防ぐためにＬＥＤ４ａのセグメントの表示を目立たせる必要がある。そのために、例えばＬＥＤ４ｂ、４ｃの各セグメントは電流を約２ｍＡ流しているのに対して、その発光面積が２５％以下となるＬＥＤ４ａのセグメントに流す電流はＬＥＤ４ｂ、４ｃの各セグメントに流す電流の４倍以上となる約９ｍＡの電流を流すことにより、発光面積が小さく視認しにくいドット表示の輝度を高くして視認し易く目立つようにしている。
【００２２】
また、各セグメントに流す電流は各々の発光面積に逆比例するように決定しても良い。例えば、ＬＥＤ４ｂ、４ｃの各セグメントの発光面積は４．５平方ｍｍの大きさで電流を約２ｍＡ流しているのに対して、ＬＥＤ４ａのセグメントの発光面積が約１．０平方ｍｍであれば、流す電流は例えば２ｍＡの４．５倍の約９ｍＡとするように決定すれば、様々な発光面積のセグメントが存在する場合でも小さい発光面積のセグメントはより目立つようにでき、表示手段全体において視認し易くすることができる。
【００２３】
また、面積の小さいＬＥＤ４ａの許容電流に制限がある場合には、ＬＥＤ４ａに流す電流はそのままに、或いは許容電流以下の範囲内で電流を増加させ、かつＬＥＤ４ｂ、４ｃの輝度を低下させることにより、両者の輝度差により小さな発光面積のＬＥＤ４ａを目立たせて視認し易くしても同様の効果が得られる。
【００２４】
以上のように本実施の形態によれば、表示領域の拡大を抑制しつつ、加熱部１の動作状態をきめ細かく設定及び表示すると共に、その表示要素の大きさが小さいものに対しても、視認し易くすることができる。
【００２５】
尚、本実施の形態では、発光面積小のＬＥＤの電流量を増加して輝度を上げているが、発光面積大のＬＥＤよりも発光効率の高い素子を用いて輝度が上がる構成としても同様の効果が得られると共に、表示手段の消費電流の増加を抑制できる効果も得られる。
【００２６】
また、本実施の形態では、加熱部の設定火力を数字とドットで表すことで説明しているが、これに限らず、発光面積の差が大きい組合せの表示全般に適用できることは、言うまでもないことである。
【産業上の利用可能性】
【００２７】
以上のように、本発明にかかる加熱調理器は、表示領域の拡大を抑制しつつ多数の動作状態を分かり易く表示できるため、一般家庭用あるいは業務用に係わらず、誘導加熱調理器や炊飯器、ホットプレート、トースター等に提供できる。
【符号の説明】
【００２８】
１  加熱部
２  出力制御手段
３  操作部
４  表示手段
４ａ  ドット表示
４ｂ、４ｃ  ７セグメント数字表示
【図１】
2014082035.tif 000003